(57)【要約】【課題】農作物の高度な生育管理を可能にするハウス栽培システムを提供する。【解決手段】植栽エリアＰＡを覆うように農地の上に設置されるハウス１０と、ハウス１０に沿って地中に埋設される保温壁３０と、地中に埋設される地中計測器９３と、地中計測器９３で計測される計測値を端末装置７０に電送する電送装置５０とを備える。保温壁３０は複数の発泡プラスチックからなるパネル３１を有している。パネル３１は、その側面に張り出して地中に埋設される浮上防止部３３を有している。少なくとも１つの地中計測器９３が、保温壁３０の下端の近傍に配置されている。【選択図】図１
2017209044.tif 000002
【特許請求の範囲】
【請求項１】
植栽エリアを覆うように農地の上に設置されるハウスと、
上端部が地上に露出するように前記ハウスの側壁部に沿って地中に埋設される保温壁と、
地中に埋設される地中計測器と、
前記地中計測器で計測される計測値を端末装置に電送する電送装置と、
を備え、
前記保温壁は、並列に連結される複数の発泡プラスチックからなるパネルを有し、
前記パネルは、その側面に張り出して地中に埋設される浮上防止部を有し、
少なくとも１つの前記地中計測器が、前記保温壁の下端の近傍に配置されているハウス栽培システム。
【請求項２】
請求項１に記載のハウス栽培システムにおいて、
前記端末装置は、ネットワークを介して前記電送装置と無線通信可能に構成され、
前記計測値が前記端末装置にリアルタイムで電送可能なハウス栽培システム。
【請求項３】
請求項１又は請求項２に記載のハウス栽培システムにおいて、
前記パネルは、その上端部から下端部に貫通する貫通孔を有し、
前記地中計測器が前記貫通孔を通じて前記保温壁の下端の近傍に配置されているハウス栽培システム。
【請求項４】
請求項３に記載のハウス栽培システムにおいて、
前記パネルは、更に、その側面に開口して前記貫通孔に連通する横孔を有し、
前記横孔を通じて第２の地中計測器が前記保温壁の側方に配置されているハウス栽培システム。
【請求項５】
請求項１〜請求項４のいずれか一つに記載のハウス栽培システムにおいて、
前記パネルが、その上端部から抜き差し可能な断熱調整部を有しているハウス栽培システム。
【請求項６】
請求項１〜請求項５のいずれか一つに記載のハウス栽培システムにおいて、
前記保温壁は、前記パネルの下端部に取り付けられる伝熱体を有し、
前記パネルの下端部には、前記伝熱体に面する通水空間が形成され、
前記パネルの上端部に、前記通水空間の両端部に連通する取水口及び出水口が形成され、
前記取水口及び前記出水口を介して前記通水空間に温水又は冷水が通水されるハウス栽培システム。
【請求項７】
請求項６に記載のハウス栽培システムにおいて、
前記地中計測器で計測される計測値に基づいて、前記通水空間に通水される水の温度が調整可能になっているハウス栽培システム。
【発明の詳細な説明】
【技術分野】
【０００１】
本発明は、ハウス栽培システムに関し、農作物の高度な生育管理を可能にする技術に関する。
【背景技術】
【０００２】
従来、環境条件が異なるトロピカルフルーツなどの農作物の栽培や、寒冷地での栽培など、露地栽培が困難な農作物を栽培するために、温室やビニールハウス等、農地の植栽エリア（農作物が植えられる領域）の上に簡易なハウスを設置し、その内部で農作物等の栽培を行うハウス栽培が幅広く行われている。
【０００３】
ハウス栽培では、ハウスによって植栽エリアを外界から隔離することができるので、温度や湿度等の外部の環境条件が不適であっても、ハウス内を農作物に適した環境にすることができる。しかし、植栽エリアの上をハウスで覆っても、植栽エリアは地中を通じてハウス外と連なっているため、地中からハウス内に外気温が伝わって、ハウス内を適温に維持するのが困難になる場合がある。また、地下水や害虫などが地中から植栽エリアに侵入して農作物の生育に悪影響を及ぼすおそれもある。
【０００４】
そのため、例えば、特許文献１には、ハウス下の農地に凹部を設け、その凹部を発泡スチロールなどの断熱材にビニールシートを被せた封水区画壁で被覆し、封水区画壁で被覆された凹部に栽培土壌を収容することで、ハウス下の農地についても外界から隔離する方法が開示されている。しかし、植栽エリアの面積は大きいのが一般的であるため、植栽エリアを完全に外界から隔離することは、大掛かり過ぎて現実的ではない。
【０００５】
それに対し、特許文献２には、植栽エリアの周囲だけを囲むことにより、植栽エリアの土壌の保温や地下水の浸入等の防止を可能にする保全ユニットが提案されている。その保全ユニットは、平板状の発泡樹脂からなる断熱材と、長手方向に沿って割目が形成されたパイプからなる排水樋と、帯板状の多孔質樹脂からなる透水ブロックとで構成されており、断熱材の下端部と透水ブロックとを排水樋の割目に弾性的に挟み込んだ状態で、植栽エリアの周囲を囲むように、地中に埋設して用いられる。
【０００６】
また、農作物の高度な生育管理を行うために、温度センサ、湿度センサ等を備えた生育条件測定装置を、管理対象とする植物の近傍に設置し、各センサで取得される測定結果を無線通信または有線通信によって集中管理装置に送信するシステムが開示されている（特許文献３）。
【０００７】
集中管理装置で、最適な潅水量を算出して表示することや、測定結果が許容範囲を逸脱した場合に警告することなどにより、植物の生育状態を管理している。
【先行技術文献】
【特許文献】
【０００８】
【特許文献１】特開平５−２６０８５７号公報
【特許文献２】特開平１１−４６５９６号公報
【特許文献３】特開２０１２−１８７０７４号公報
【発明の概要】
【発明が解決しようとする課題】
【０００９】
特許文献２の保全ユニットは、複数の部材を組み合わせて構成されているため、設置に手間がかかる。更に、断熱材は、排水樋に挟み込んだだけであるため、地下水量が増加した場合に、その浮力によって浮き上がり、正常に機能しなくなるおそれがある。
【００１０】
特許文献３の生育条件測定装置では、地中での温度や水分の変化については考慮されていないため、改善の余地がある。また、地上であれば、温度センサ等を目視できるし容易に設置やメンテナンスができるため、長期間、安定した計測が行えるが、地中の場合、温度センサ等が目視できないし設置やメンテナンスも困難なため、長期間、安定して計測するのは容易ではない。
【００１１】
そこで本発明の目的は、植栽エリアの地上だけでなく地中についても農作物の生育に適した状態に保持することができ、農作物の高度な生育管理を可能にするハウス栽培システムを提供する。
【課題を解決するための手段】
【００１２】
本発明に係るハウス栽培システムは、植栽エリアを覆うように農地の上に設置されるハウスと、上端部が地上に露出するように前記ハウスの側壁部に沿って地中に埋設される保温壁と、地中に埋設される地中計測器と、前記地中計測器で計測される計測値を端末装置に電送する電送装置と、を備える。前記保温壁は、並列に連結される複数の発泡プラスチックからなるパネルを有し、前記パネルは、その側面に張り出して地中に埋設される浮上防止部を有している。そして、少なくとも１つの前記地中計測器が、前記保温壁の下端の近傍に配置されている。
【００１３】
すなわち、このハウス栽培システムによれば、保温壁により、植栽エリアの地上だけでなく地中についても外界から簡易的に隔離されているため、より高度な生育管理が行える。保温壁を構成しているパネルは浮上防止部を有しているので、大雨などで土壌の水分が増加しても、その上に堆積する土壌によってパネルの浮き上がりが防止でき、保温壁を、長期間、設置した位置に安定して保持できる。
【００１４】
そして、その保温壁の下端の近傍に地中計測器が配置されているので、保温壁の下端を横切ることによって植栽エリアに及ぶ外界の影響を把握することができ、農作物に悪影響が及ぶ前に対処することが可能になる。しかも、地中計測器で計測される計測値は、端末装置に電送することができるので、ハウスから離れた場所にいても、端末装置を通じて農作物の生育条件を把握することができる。従って、農作物の高度な生育管理が可能になり、安定的かつ効率的な栽培が実現できる。
【００１５】
具体的には、前記端末装置は、ネットワークを介して前記電送装置と無線通信可能に構成し、前記計測値が前記端末装置にリアルタイムで電送可能にするのが好ましい。
【００１６】
そうすれば、ハウスの内部の温度や湿度、潅水量の調整等を迅速かつ適切に行うことができるので、農作物のより高度な生育管理が可能になる。
【００１７】
より具体的には、前記パネルは、その上端部から下端部に貫通する貫通孔を有し、前記地中計測器が前記貫通孔を通じて前記保温壁の下端の近傍に配置されているようにするとよい。
【００１８】
そうすれば、地中計測器を地中の適切な位置に安定して設置することができる。しかも、地中計測器は、保温壁によって支持されるので、位置ずれが防止され、長期間高精度な計測が行える。上方の貫通孔は地上に露出しているので、地中計測器の配線も安全かつ容易に行え、故障が発生しても容易に交換等が行える。
【００１９】
この場合、更に、前記パネルが、その側面に開口して前記貫通孔に連通する横孔を有し、前記横孔を通じて第２の地中計測器が前記保温壁の側方に配置されているようにするとよい。
【００２０】
そうすれば、農作物周辺での地中の変化も計測することができるようになる。また、深度が異なる計測値の経時変化を解析することが可能になるため、植栽エリアの地中における高度な変化予測もできるようになる。
【００２１】
また、前記パネルは、その上端部から抜き差し可能な断熱調整部を有しているようにすることもできる。
【００２２】
そうすれば、各パネルの断熱効果の調整が容易にできるので、地中計測器の計測値に基づいて保温壁の場所別に断熱効果を調整することで、植栽エリアの全域にわたって安定した農作物の生育管理が行える。
【００２３】
また更に、前記保温壁は、前記パネルの下端部に取り付けられる伝熱体を有し、前記パネルの下端部には、前記伝熱体に面する通水空間が形成され、前記パネルの上端部に、前記通水空間の両端部に連通する取水口及び出水口が形成され、前記取水口及び前記出水口を介して前記通水空間に温水又は冷水が通水されるようにしてもよい。
【００２４】
そうすれば、地中の温度調整が可能になり、植栽エリアの地中温度を適温に安定して保持することができる。
【００２５】
この場合、特に、前記地中計測器で計測される計測値に基づいて、前記通水空間に通水される水の温度が調整可能するのが好ましい。
【００２６】
そうすれば、植栽エリアの地中温度を自動的に適温に保持することができるので、農作物のより高度な生育管理が可能になる。
【発明の効果】
【００２７】
本発明のハウス栽培システムによれば、植栽エリアの地上だけでなく地中についても農作物の生育に適した状態に安定して保持することができるので、農作物の高度な生育管理が可能になる。
【図面の簡単な説明】
【００２８】
【図１】ハウス栽培システムの全体構成を示す概略図である。
【図２】ハウスの設置部分の断面を示す概略図である。
【図３】保温壁の構造を説明する図である。
【図４】図３におけるＩＶ−ＩＶ線での断面図である。
【図５】変形例１の保温壁の構造を説明する図である。
【図６】変形例２の保温壁の構造を説明する図である。
【図７】変形例２の保温壁の構造を説明する図である。
【発明を実施するための形態】
【００２９】
以下、本発明の実施形態を図面に基づいて詳細に説明する。ただし、以下の説明は、本質的に例示に過ぎず、本発明、その適用物あるいはその用途を制限するものではない。
【００３０】
（ハウス栽培システムの全体構成）
図１及び図２に、本実施形態のハウス栽培システム１の全体構成を示す。ハウス栽培システム１は、ハウス１０、保温壁３０、電送装置５０、端末装置７０、各種計測器９１，９２，９３などで構成されており、農作物の高度な生育管理ができるように構成されている。このハウス栽培システム１は、北海道のような、冬季に露地栽培が困難になる寒冷地に好適であるが、寒冷地でなくとも、トロピカルフルーツのような、環境条件が異なる農作物を栽培する場合や、夏季に生育温度を超えるような酷暑地、寒暖差の激しい地域などにも好適である。
【００３１】
ハウス１０は、ビニールハウス１０や温室などの、農作物が植えられる植栽エリアＰＡを覆うように農地の上に設置される簡易な小屋状の構造物であり、本実施形態ではビニールハウス１０を例示している。ビニールハウス１０は、複数の鋼管によって骨組みが構成され、その骨組みに耐候性に優れたシートを取り付けることで、四方を囲む矩形の側壁部１０ａと、断面アーチ状の屋根部１０ｂとからなるハウス１０が形成されている。
【００３２】
ハウス１０の設置により、植栽エリアＰＡの上方の空間が外界から遮断されるため、植栽エリアＰＡに植えられる農作物に適した環境を、ハウス１０の内部で実現することが可能になる。ハウス１０には、その環境を保持するために、ボイラーやヒータなどの暖房装置や、クーラなどの冷房装置、ダクトやファンなどの換気装置等からなる付属装置１３が設置されている。また、農作物に水を供給するため、ハウス１０の内部には、植栽エリアＰＡに給水する潅水装置１４も設置されている。
【００３３】
保温壁３０は、植栽エリアＰＡと外界との間を断熱するとともに、外界から植栽エリアＰＡへの地中を通じた熱伝導や、水や害虫の地中からの植栽エリアＰＡへの侵入などを阻止するため、植栽エリアＰＡを囲むように、ハウス１０の側壁の内側に沿って地中に埋設されている。地表を伝って植栽エリアＰＡに外気や水が浸入するのを防止するために、保温壁３０は、その上端部が地上に露出するように埋設されている。
【００３４】
保温壁３０を埋設する深さは、深い方が好ましいが、扱い易さや環境条件を考慮して、概ね４００ｍｍ〜７００ｍｍの範囲で設定される。例えば、寒冷地の場合であれば、凍結深度（凍結が生じない地表からの深さ）以上の深さまで埋設するのが好ましい。
【００３５】
本実施形態の電送装置５０は、送信装置５１やホストコンピュータ５２などで構成されている。送信装置５１は、ハウス１０の近傍に設置され、ハウス１０に設置された各種計測器９１，９２，９３と電気的に接続されている。送信装置５１は、有線通信又は無線通信により、これら計測器９１，９２，９３で計測される計測値を、リアルタイムでホストコンピュータ５２に送信する機能を有している。
【００３６】
ホストコンピュータ５２は、ＣＰＵやメモリ、モニター等のハードウエアと、これらハードウエアに実装されるソフトウエアとで構成されている周知のコンピュータシステムであり、本実施形態では、ホストコンピュータ５２として、デスクトップ型の高性能なパーソナルコンピュータが例示されている。ホストコンピュータ５２には、インターネット（ネットワークの一例）ＩＮを介して、スマートフォンやタブレット端末などの携帯可能な端末装置７０との間で、双方向の無線通信を可能にする入出力装置や通信ソフトが備えられている。
【００３７】
計測器は、植栽エリアＰＡに植えられる農作物の生育に重要な温度や湿度、ＰＨ等の環境条件を計測する装置であり、必要に応じて設置される。計測器は、地上に設置される地上計測器と、地中に埋設される地中計測器とで構成されている。本実施形態では、地上計測器として温度計９１及び湿度計９２が例示され、地中計測器として温度センサ及び水分センサが例示されている（包括的に地中センサ９３ともいう）。
【００３８】
地中に埋設される地中センサ９３は、植栽エリアＰＡの四隅やその中間部位など、植栽エリアＰＡの周囲の複数カ所に配置されている。更に、これら地中センサ９３は、深さの異なる複数カ所にも配置されている。具体的には、保温壁３０の下端の近傍と、保温壁３０の内側の近傍とに、地中センサ９３が配置されている。
【００３９】
保温壁３０の下端の近傍に配置された地中センサ９３（第１地中センサ９３ａ）により、保温壁３０を横切って植栽エリアＰＡに伝わる熱による地中の温度変化や、保温壁３０を横切って植栽エリアＰＡに入り込む地中の水分変化を計測することができる。そして、保温壁３０の内側の近傍に配置された地中センサ９３（第２地中センサ９３ｂ）により、農作物周辺での地中の温度変化や水分変化を計測することができる。
【００４０】
植栽エリアＰＡの周囲の複数カ所に配置されたこれら地中センサ９３の計測値を比較することにより、植栽エリアＰＡの場所別での生育条件を詳細に把握することができる。そして、第１地中センサ９３ａ及び第２地中センサ９３ｂの計測値の経時変化を解析することにより、植栽エリアＰＡの地中の温度変化や水分変化の予測もできる。
【００４１】
温度計９１で計測されるハウス内温度や、湿度計９２で計測されるハウス内湿度、地中センサ９３で計測される地中温度や地中水分等の計測値は、一定の周期で送信装置５１に入力され、リアルタイムでホストコンピュータ５２に電送される。ホストコンピュータ５２に電送されたこれら計測値は、記憶装置に記憶され、必要に応じてデータ処理やデータ解析が行えるようになっている。
【００４２】
端末装置７０からホストコンピュータ５２にアクセスすることで、ホストコンピュータ５２に記憶されている計測値のデータや解析結果を閲覧することができる。また、端末装置７０を、ホストコンピュータ５２と通信可能な状態に設定しておくことで、送信装置５１からホストコンピュータ５２に電送された計測値を、リアルタイムで端末装置７０にも電送させることができる。
【００４３】
それにより、農作物の生育管理者は、ハウス１０から離れた場所にいても、常時、端末装置７０を通じてリアルタイムで農作物の生育条件を把握することができ、ハウス１０の内部の温度や湿度、潅水量の調整を迅速かつ適切に行うことができるので、農作物の高度な生育管理が可能になり、安定的かつ効率的な栽培が実現できる。
【００４４】
特に、このハウス栽培システム１では、保温壁３０の設置により、植栽エリアＰＡの土壌についても外界から簡易的に隔離されているため、より高度な生育管理が行える。
【００４５】
すなわち、土壌を通じて植栽エリアＰＡに及ぶ熱や水分の移動は、保温壁３０の下端を横切ることによって行われ、保温壁３０の下端を横切ってから、その影響が農作物の植えられている植栽エリアＰＡの表層部分に及ぶまでにはタイムラグがある。従って、第１地中センサ９３ａの計測値をリアルタイムで把握することで、農作物に悪影響が及ぶ前に対処することが可能になる。
【００４６】
例えば、ホストコンピュータ５２のメモリに、農作物の管理温度の上限値及び下限値を設定し、地中センサ９３の計測値が下限温度に達した場合や上限温度に達した場合に、端末装置７０を通じて、農作物の生育管理者に警報を発するようにすれば、異常を見過ごすこと無く安定した生育管理が行える。
【００４７】
しかも、設置が容易に行え、地中計測器の設置も容易かつ適切に行えるように、保温壁３０に工夫が施されている。
【００４８】
（保温壁３０）
図３に、本実施形態の保温壁３０を示す。保温壁３０は、発泡スチロール（ＥＰＳ）等、発泡プラスチックからなる矩形板状の複数のパネル３１を、並列に連結して、植栽エリアＰＡの周囲に矩形枠状に配置することによって構成されている。各パネル３１は、例えば、厚みが１０ｃｍ〜５０ｃｍ、横寸法が１ｍ〜２ｍ、縦寸法が０．７ｍ〜１ｍの大きさを有している。
【００４９】
各パネル３１の側端面３１ｂには、蟻継ぎ状の連結部３２ａ，３２ｂが設けられている。具体的には、一方の側端面３１ｂには、断面逆三角形状の蟻溝３２ａが、上端面３１ｃから下端面３１ｄに亘って凹んで形成されており、他方の側端面３１ｂには、断面逆三角形状の蟻ほぞ３２ｂが、上端面３１ｃから下端面３１ｄに亘って突出して形成されている。隣接する一方のパネル３１の蟻溝３２ａに他方のパネル３１の蟻ほぞ３２ｂを嵌合することで、各パネル３１は並列に連結することができ、その長さを自在に調整できるようになっている。
【００５０】
パネル３１は、発泡プラスチックであるため、断熱性に優れ、軽量で扱い易いうえに、汎用品で安価なため、費用メリットも大きい。しかも加工が容易にできるため、不要な部分を切り取るなど、現場で必要に応じて形状や大きさを調整することもでき、作業性にも優れる。
【００５１】
更に、パネル３１の側面３１ａには、浮上防止部３３が形成されている。具体的には、地中に埋設されるパネル３１の一方の側面３１ａの下端部から側方に張り出して、パネル３１の両側端面３１ｂ，３１ｂ間にわたって延びる帯板状の部分がパネル３１と一体に形成されている。
【００５２】
大雨などで土壌の水分が増加した場合、発泡プラスチック製のパネル３１は浮力が大きいため、浮き上がって保温壁３０が崩れるおそれがある。それに対し、この保温壁３０では、浮上防止部３３が形成されているので、その上に堆積する土壌によってパネル３１の浮き上がりを防止することができ、保温壁３０を、長期間、設置した位置に安定して保持できる。
【００５３】
浮上防止部３３の先端には、上方に突出してパネル３１の側面３１ａと平行して延びる突条部３４が形成されている。突条部３４によってパネル３１の横ずれを防止することができる。また、保温壁３０の埋設時に、浮上防止部３３の上に砕石等を敷設すれば、よりいっそう保温壁３０を安定して保持できる。
【００５４】
パネル３１の側端部には、地中計測器の設置に利用される貫通孔３５が形成されている。図４にも示すように、貫通孔３５はパネル３１の上端面３１ｃから下端面３１ｄに貫通した円筒状の長孔からなる。更に、このパネル３１では、一方の側面３１ａの下端面３１ｄから所定の高さ位置に開口して貫通孔３５に連通する横孔３６が形成されている。
【００５５】
第１地中センサ９３ａ及び第２地中センサ９３ｂは、これら貫通孔３５及び横孔３６を通じて、地中の所定位置に配置されている。具体的には、保温壁３０の下端から下方に突出するように、貫通孔３５を通じて第１地中センサ９３ａが配置されており、保温壁３０の植栽エリアＰＡに面する側面３１ａから側方に突出するように、横孔３６を通じて第２地中センサ９３ｂが配置されている。
【００５６】
第１地中センサ９３ａ及び第２地中センサ９３ｂは、保温壁３０の所定位置に形成された貫通孔３５及び横孔３６を通じて設置することができるので、地中の適切な位置に安定して設置することができる。第１地中センサ９３ａ及び第２地中センサ９３ｂは、保温壁３０によって支持されるので、位置ずれが防止され、長期間高精度な計測が行える。上方の貫通孔３５は地上に露出しているので、第１地中センサ９３ａ及び第２地中センサ９３ｂの配線も、保温壁３０の上端に沿って安全かつ容易に行え、故障が発生しても容易に交換等が行える。
【００５７】
貫通孔３５は、地上計測器の支持にも利用でき、本実施形態の温度計９１及び湿度計９２は、貫通孔３５に差し込んで固定された支柱に取り付けることで、所定の高さに配置されている。
【００５８】
（変形例１）
図５に、保温壁３０の変形例１を示す。本変形例の保温壁３０Ａは、断熱効果の調整が容易にできるようになっている点で、上述した保温壁３０と異なっている。すなわち、保温壁３０Ａを構成しているパネル３１が、その上端部から抜き差し可能な断熱調整部４０を有している。なお、本変形例のその他の構成は、実施形態と同じであるため、それらの説明については省略する（変形例２も同様）。
【００５９】
本実施形態の断熱調整部４０は、差込スペース４１と差込パネル４２とで構成されている。差込スペース４１は、パネル３１の両側面３１ａ，３１ａの間に拡がる側面視が矩形のスペースであり、パネル３１の上端面３１ｃにスリット様の開口を有している。そして、差込パネル４２は、その差込スペース４１に嵌合する矩形板状の発泡プラスチック製の部材である。差込スペース４１及び差込パネル４２は、パネル３１の差込スペース４１の形成部位から差込パネル４２を切り出せば容易に形成できる。
【００６０】
差込パネル４２を差込スペース４１から抜き取ることで、パネル３１の厚みを実質的に薄くでき、保温壁３０の断熱効果を低減させることができる。差込パネル４２は、発泡プラスチック製であるため、その厚みや形状は簡単に加工できる。従って、農作物の生育管理者は、センサの計測値に基づいて、厚みを調整した差込パネル４２を差込スペース４１に差し込むことや、大きさを調整した差込パネル４２を差込スペース４１の一部に差し込むことにより、保温壁３０の場所別での断熱効果を簡単に調整することができ、植栽エリアＰＡの全域にわたって安定した農作物の生育管理が行える。
【００６１】
（変形例２）
図６及び図７に、保温壁３０の変形例２を示す。本変形例の保温壁３０Ｂは、地中の温度調整が可能になっている点で、上述した保温壁３０と異なっている。
【００６２】
すなわち、この保温壁３０Ｂは、発泡プラスチック製のパネル３１に加え、帯板状の金属プレート４５（伝熱体の一例）を有している。金属プレート４５は、パネル３１の下端面３１ｄに溶着して取り付けられている。そして、パネル３１の下端部には、金属プレート４５に面する通水空間４６が、パネル３１の両側端部の間にわたって形成されている。
【００６３】
パネル３１の上端面３１ｃには、取水口４７及び出水口４８が開口している。通水空間４６の両端部は、一対の通水路４９を通じて取水口４７及び出水口４８の各々に連通している。隣接する一方のパネル３１の取水口４７と他方のパネル３１の出水口４８とを配管で接続すれば、各パネル３１の通水空間４６を連結して通水できる。また、特定のパネル３１にだけ通水することもできる。
【００６４】
本変形例のハウス栽培システム１には、付属装置１３として、温水又は冷水の循環供給が行える温調給水装置が設置されている。この温調給水装置により、取水口４７及び出水口４８を通じて各パネル３１の通水空間４６に、温度調整された温水又は冷水が通水可能になっている。
【００６５】
従って、農作物の生育管理者は、地中センサ９３の計測値に基づいて、植栽エリアＰＡの地中の温度を調整することができる。例えば、電送される第１地中センサ９３ａや第２地中センサ９３ｂの計測値に基づいて、植栽エリアＰＡの地中温度が適温を下回るおそれがあると生育管理者が判断した場合、生育管理者は、温調給水装置を操作して温水を通水空間４６に通水すればよい。そうすることで、温水の温度が金属プレート４５を介して土壌に伝わり、植栽エリアＰＡの周囲の土壌が温められるので、植栽エリアＰＡの地中温度を適温に保持することができる。
【００６６】
同様に、電送される第１地中センサ９３ａや第２地中センサ９３ｂの計測値に基づいて、植栽エリアＰＡの地中温度が適温を上回るおそれがあると生育管理者が判断した場合、生育管理者は、温調給水装置を操作して冷水を通水空間４６に通水すればよい。そうすることで、冷水の温度が金属プレート４５を介して土壌に伝わり、植栽エリアＰＡの周囲の土壌が冷やされるので、植栽エリアＰＡの地中温度を適温に保持することができる。
【００６７】
外界の熱は、保温壁３０の下端部を横切って植栽エリアＰＡに伝わるので、保温壁３０の下端部で温調することで、温水等の熱を直接的に作用させることができ、植栽エリアＰＡの地中温度を効率よく適温に保持できる。
【００６８】
この保温壁３０を用いる場合、特に、地中センサ９３で計測される計測値に基づいて、通水空間４６に通水される水の温度を自動的に調整できるようにするとよい。
【００６９】
具体的には、温調給水装置を、送信装置５１を介してホストコンピュータ５２と電気的に接続し、温調給水装置の操作が、地中センサ９３で計測される温度の計測値に基づいて制御できるように構成する。そして、例えば、ホストコンピュータ５２のメモリに、農作物の管理温度の上限値及び下限値を設定し、地中センサ９３の計測値が下限温度に達した場合に、温調給水装置を作動させて温水が供給され、温度センサの計測値が上限温度に達した場合に、温調給水装置を作動させて冷水が供給されるように制御する。
【００７０】
そうすれば、植栽エリアＰＡの地中温度を、自動的に適温に保持することができるので、農作物の高度な生育管理が可能になり、安定した農作物の栽培が行える。
【００７１】
同様に、潅水装置１４についても、地中センサ９３で計測される水分の計測値に基づいて制御できるようにしてもよい。そうすれば、植栽エリアＰＡの地中の水分を、自動的に適量に保持することができるので、農作物のより高度な生育管理が可能になる。
【００７２】
なお、本発明にかかるハウス栽培システム１は、上述した実施形態に限定されず、それ以外の種々の構成をも包含する。例えば、電送装置５０は、ホストコンピュータ５２を介さずに、送信装置５１から端末装置７０に計測値を直接伝送するようにしてもよい。地中計測器は、ＰＨセンサであってもよい。パネル３１の側面３１ａの両側に横孔３６を設け、保温壁３０の外側にも地中センサ９３を設置してもよい。保温壁３０Ｂのパネル３１にも、断熱調整部４０を設けてもよい。
【符号の説明】
【００７３】
１  ハウス栽培システム
１０  ハウス
１０ａ  側壁部
３０  保温壁
３１  パネル
３３  浮上防止部
５０  電送装置
５１  送信装置
５２  ホストコンピュータ
７０  端末装置
９１  温度計
９２  湿度計
９３  地中センサ
ＰＡ  植栽エリア
【図１】
2017209044.tif 000003
【図２】
2017209044.tif 000004
【図３】
2017209044.tif 000005
【図４】
2017209044.tif 000006
【図５】
2017209044.tif 000007
【図６】
2017209044.tif 000008
【図７】
2017209044.tif 000009